(57)【要約】【課題】心理的変数の連続的な時系列的変化を、簡易にかつ安価に聴取し、短時間でデータ化して時系列的データ解析を行う、用紙および心理時系列データ収集システムを提供する。【解決手段】所定の心理変数につき被験者内の時系列的な変化を聴取するため、時系列を横軸としたグラフ用紙を作成上に、色相をあらかじめ登録しておいたペンにて被験者が心理変化に対応した線を筆記する。その筆記された線を、スキャナーで画像データとして取り込み、コンピュータ内プログラムにより色相を基準に抽出し、位置座標データを基準に一括して数値データ化する。このように、被験者が手書き回答線にて描写した心理の時系列変化を、直接数値化することを最大の特徴とする心理時系列データ収集システム。【選択図】図１
2008183279.tif 000002
【特許請求の範囲】
【請求項１】
心理変数の連続的な時系列変化を測定・データ化し、時系列的データ解析をおこなうための心理時系列データ収集システムであって、心理変化回答の目安となる印刷目盛線と前記印刷目盛線上に記入される手書き回答線の位置を検出するための位置検出マークが印刷された回答線記入用グラフ欄を有する時系列変化グラフ用紙と、前記回答線記入用グラフ欄に手書きの回答線および必要に応じて自由記述が記入された回答済み時系列変化グラフ用紙より、手書きの回答線および位置検出マークのみを抽出して認識し時系列数値データを作成する数値データ作成手段とからなる、被験者が手書き回答線にて描写した心理の時系列変化を直接数値化することを最大の特徴とする心理時系列データ収集システム。
【請求項２】
請求項目1に記載の回答済み時系列変化グラフ用紙は、中央部に所定の等間隔を置いて格子状の直交線分として印刷され心理変化回答の目安となる印刷目盛線によって構成される回答線記入用グラフ欄と、前記回答線記入用グラフ欄の上部に印刷され測定対象となる所定の心理変数を指定する質問項目欄と、前記回答線記入用グラフ欄の縦軸左側に印刷され前記質問項目欄に記載された心理変数の変化に関する所定の評価程度を表す段階的評価尺度欄と、前記回答線記入用グラフ欄上側または下側横軸上に印刷された時間の経過を表す所定の時間経過尺度欄と、前記回答線記入用グラフ欄の３箇所角部に印刷され、手書き回答線の位置検出に用いられる登録された独自の色相を有する位置検出マークと、回答線記入用グラフ欄上に被験者により記入され登録された独自の色相を有する手書きの回答線と、必要に応じて被験者により記入された自由記述と、が配置されている時系列変化グラフ用紙を構成要素とする請求項1に記載の心理時系列データ収集システム。
【請求項３】
請求項目1に記載の数値データ作成手段は、手書き回答線記入用に被験者の配布される回答線記入用ペンおよび位置検出マークの色相を登録しておく色相登録手段と、前記回答済み時系列変化グラフ用紙をスキャナーでコンピューター内に取り込んで画像データ化した後に前期色相登録手段により登録された色相を有する手書き回答線および位置検出マークの画素のみを抽出する色相抽出手段と、前記色相抽出手段により抽出された手書き回答線および位置検出マークの画素座標情報を認識した上で、位置検出マークの画素座標情報を基準として、手書き回答線を構成する画素の相対的な位置情報を計算しその画素位置情報を数値化することによって手書き回答線に対応する時系列数値データを作成する時系列数値データ作成手段と、を行う機能を有することを特徴とする回答線数値化プログラムを構成要素とする、請求項1に記載の心理時系列データ収集システム。
【発明の詳細な説明】
【技術分野】
【０００１】
本発明は、心理的変数の連続的な時系列的変化を聴取し、データ化する心理時系列データ収集システムに関する。
【背景技術】
【０００２】
従来より、心理的変数の時系列的変化を測定しようという試みは、特に心理学研究分野で試みられてきており、おもに質問用紙を用いて心理変数の時系列的変化を測定する方法、たとえば非特許文献１にみられる梯子評定法などの手法が存在する。
【０００３】
この梯子評定法は、一日、一年またはライフステージなど、所定の時間段階ごとにまったく同じ質問項目を繰り返し回答することを被験者に求めて、それをデータ処理することによって、心理変数の時系列的変化を明らかにする方法である。
【０００４】
以下具体例を示して梯子評定法につき説明する。たとえば、大学生を対象に人生の各ライフステージごとに「との程度楽しいとイメージしているのか」を調査したい場合で、「あなたは、以下の各時期において、どの程度楽しいとイメージしていますか」との質問を、「赤ちゃん」「幼稚園」「小学生低学年」「小学校高学年」「中学」「高校」「大学入学」「現在」「大学卒業」「３０歳代」「４０歳代」「５０歳代」「６０歳代」「７０歳以上」と、ライフステージ１４段階にわけて行うとする。
【０００５】
この場合図５に示したように、１４にわけた各時間段階のごとに、合計１４回のまったく同じ質問を繰り返して、いちいち被験者に回答を求め、その結果を合算して図６にグラフで示されているような合計１４の時間段階における心理的変数の時系列的なデータを得るである。
【非特許文献１】都築学１９９９．大学生の時間的展望ー構造心理学モデルの心理学的検討―  中央大学出版部
【発明の開示】
【発明が解決しようとする課題】
【０００６】
しかしながら、以上の梯子評定法によれば、以下のような問題があった。
【０００７】
第一の問題は、各時間段階（例の場合は１４段階）ごとに、同一項目に何度も回答する被験者に多大の負担を強いることである。
【０００８】
第二の問題は、調査後に、「被験者人数×時間段階分」の回答データをコンピューターに入力する作業を、手作業で行わなければならず、さらに、より詳細な変化データを得ようとして時間段階および被験者数を増加させればさせるほど、多大の時間と手間がかかることである。
【０００９】
第三の問題は、梯子評定法により得られる時系列的データの個数が、各時間段階の個数（例の場合は１４個）に限定され、しかも相互に離散的であり連続性がない（飛び飛びになり、折れ線グラフにすると角ばる）ため、同一項目の時系列的データが１００個以上存在することが望ましいといわれる統計的時系列的データ分析を行うことが困難である点である。
【００１０】
第四の問題は、梯子評定法により得られる時系列的データの間隔が、質問紙上の所定の時間段階によって限定されているため（前記の例では14個）、データの時間間隔がはるかに細かい心拍、脳波といった生理指標（心拍・脳波などは、通常数秒につき1個）との関連を解析することが困難であるという点である。
【課題を解決するための手段】
【００１１】
以上の課題を解決するために、第一発明は、心理変数の連続的な時系列変化を測定・データ化し、時系列的データ解析をおこなう心理時系列データ収集システムであって、心理変化回答の目安となる印刷目盛線と前記印刷目盛線上に記入される手書き回答線の位置を検出するための位置検出マークが印刷された回答線記入用グラフ欄を有する時系列変化グラフ用紙と、前記回答線記入用グラフ欄に手書きの回答線および必要に応じて自由記述が記入された回答済み時系列変化グラフ用紙より、手書きの回答線および位置検出マークのみを抽出し認識して時系列数値データを作成する数値データ作成手段と、からなる心理時系列データ収集システムである。
【００１２】
また、第二発明は、請求項目1に記載の回答済み時系列変化グラフ用紙は、中央部に所定の等間隔を置いて格子状の直交線分として印刷され心理変化回答の目安となる印刷目盛線によって構成される回答線記入用グラフ欄と、前記回答線記入用グラフ欄の上部に印刷され測定対象となる所定の心理変数を指定する質問項目欄と、前記回答線記入用グラフ欄の縦軸左側に印刷され前記質問項目欄に記載された心理変数の変化に関する所定の評価程度を表す段階的評価尺度欄と、前記回答線記入用グラフ欄上側または下側横軸上に印刷された時間の経過を表す所定の時間経過尺度欄と、前記回答線記入用グラフ欄の３箇所角部に印刷され、手書き回答線の位置検出に用いられる登録された独自の色相を有する位置検出マークと、回答線記入用グラフ欄上に被験者により記入され登録された独自の色相を有する手書きの回答線と、必要に応じて被験者により記入された自由記述と、が配置されている時系列変化グラフ用紙を構成要素とする請求項1に記載の心理時系列データ収集システムである。
【００１３】
また、第三発明は、請求項目1に記載の数値データ作成手段は、手書き回答線記入用に被験者の配布される回答線記入用ペンおよび位置検出マークの色相を登録しておく色相登録手段と、前記回答済み時系列変化グラフ用紙を、スキャナーでコンピューター内に取り込んで画像データ化した後に、前期色相登録手段により登録された色相を有する手書き回答線および位置検出マークの画素のみを抽出する色相抽出手段と、前記色相抽出手段により抽出された手書き回答線および位置検出マークの画素座標情報を認識した上で、位置検出マークの画素座標情報を基準として、手書き回答線を構成する相対的な画素位置情報を計算しその画素位置情報を数値化することによって手書き回答線に対応する時系列数値データを作成する時系列数値データ作成手段と、を行う機能を有することを特徴とする回答線数値化プログラムを構成要素とする、請求項1に記載の心理時系列データ収集システムである。
【発明の効果】
【００１４】
本発明の第一の効果は、心理的変数の時系列的変化の収集を、通常の印刷手段、実験実施者が入手可能な任意の色ペン、被験者の有する任意の筆記用具、および市販のスキャナー、コンピューターにより作業をおこなうため、簡易かつ安価に聴取しうる点にある。
【００１５】
第二の効果は、被験者に要求する回答作業が、ひとつの質問事項につき手書き回答線を一本引くのみとなるため、第一の問題点である被験者の負担が著しく軽減される点である。
【００１６】
第三の効果は、調査後に回答データをコンピューターに入力する作業が自動化され、手作業で行う必要がないことである、加えてより詳細な変化データを得るために時間段階を増やす必要が生じた場合でも、読み取り画素の解像度を上げるだけで、たった一本の手書き回答線から画素数を上限とする任意の個数（市販の通常のコンピュータで1５センチほどの線分あたり約１０００個）の数値データを極めて短時間で自動的に得ることができる、さらに加えて、被験者数を増加させても、一度に、複数の回答済み時系列変化グラフ用紙をスキャナーに読み込ませれば大量の手書き回答線の同時処理が可能となる、このように、第二の問題点であるデータ入力の手間が大幅に改善される点である。
【００１７】
第三の効果は、得られる時系列的データが、梯子評定法のように予定の時間段階の個数に限定されないため、前記の通り、たった一本の手書き回答線から、調査実施者の必要に応じた任意個数の時系列数値データを一気に得ることが可能となる点である。そしてこのように多量なデータを得られることから、たとえば時系列データを解析する一般的手法である自己回帰モデル（AR(ｐ)）を行った場合にも最尤推定量推計が容易になるなど、統計的時系列分析の結果を大幅に安定させることが可能となる、このように第三の問題点が解決される点である。
【００１８】
また、第四の効果は、得られる時系列的データが、梯子評定法のように聴取前所定の時間段階の間隔に限定されず、聴取後にデータ採取間隔を任意に調整できることから、心拍・脳波などの他の関連時系列データと比較する際に、データ採取間隔を同調（シンクロナイズ）することが出来、これにより第四の問題点が解決される点である。
【実施例１】
【００１９】
以下、添付図面を参照して、本発明好ましい実施形態を図１および図２に示して説明する。図１は本発明の一実施例による心理的変数の時系列変化グラフ用紙の平面図である。図２は前記図１に被験者が手書き回答線を記入した例を示す手書き回答線記入済みの時系列変化グラフ用紙の平面図である。
【００２０】
図１にあるように、前記時系列変化グラフ用紙には、測定すべき心理的質問項目を調査実施者が記入しておく質問項目欄１と、測定対象となる時間間隔の目安となる時間経過尺度欄２と、心理的変数の程度を評価する段階的評価尺度欄３と、被験者の心理的変数の時系列的変化の目安となる印刷目盛線より構成される回答線記入用グラフ欄４と、手書き回答線の位置を検出するための任意の色相（本実施形態の説明においては仮に青色としておく）の位置検出マーク５および６および７が設けられている。なお、この位置検出マークの位置は、左下の位置検出マーク５は、その中心点が回答線記入用グラフ欄の最左縦軸の垂直延長線下で、かつ原点より縦軸の１評価段階分の距離に設けられる。また右上の位置検出マーク６は、その中心点が回答線記入用グラフ欄の最右縦軸の垂直延長線上で、かつ縦軸の１評価段階分上の距離に設けられる。また、位置検出マーク７は、その中心が回答線記入用グラフ欄の最右縦軸の垂直延長線下で、かつ原点より縦軸の一評価段階分の距離に設けられる。
また、前記時系列変化グラフ用紙は、そのグラフ用紙という性質上、各横軸および縦軸は、格子状に平行および直交し、かつたてよこそれぞれの間隔は同一とする。
【００２１】
つぎに、図１に加えて図２および図３をしめして調査実施方法について説明する。
調査実施者は、図1にあるように測定すべき心理的質問項目を上段の質問項目欄１に、測定対象となる時間間隔の目安となる時間経過尺度を横軸上段２に、また心理的変数の程度を評価する段階的評価尺度を縦軸左の３に、あらかじめ記入しておく。
また、図３の９にあるように、被験者の回答線記入用ペンの独自の色相をあらわすＨｕｅデータ値および位置検出マークの独自色相（本実施形態中では仮に青色とする）をあらわすＨｕｅデータ値とを回答線数値化プログラムにあらかじめ登録しておく。
【００２２】
なお、前記時系列変化グラフ用紙について、この例では、前記質問項目欄１に記入の質問項目は「以下の人生の時期について、どのくらい楽しいとおもいますか」となっているがこの内容に限定されるものではなく調査実施者の調査目的により任意の質問項目を記入することが可能である。
【００２３】
また同様に、前記時間経過尺度欄２に「３歳まで」から始まって「６３歳まで」で終了する３年間隔の合計２０段階の時間経過尺度が示されているが、これも調査実施者の調査目的により任意の期間および時間間隔より構成される時間経過尺度を示すことが可能である。さらに段階的評価尺度欄３には上から「とても楽しい」「楽しい」「どちらかといえば楽しい」「どちらかといえば楽しくない」「楽しくない」「まったく楽しくない」の６段階的評価が記入されているが、調査目的により任意の評価段階を設けることが出来る。
【００２４】
つぎに前記諸事項を記入した時系列変化グラフ用紙を予定被験者人数分印刷する。その際、数値データ化する際の便宜のため、青色の位置検出マーク以外は、記入グラフ用紙上のすべての線および文字は、位置検出マークおよび回答線記入用ペン以外の色相を有する色（本実施形態の説明においては仮に黒色としておく）で印字される。
【００２５】
被験者に配布した後、被験者に教示文および例を読み上げて記入法の説明をおこなう１０。被験者が記入要領を理解したことを確認した後、被験者があらかじめ用意された回答線記入用ペンで、質問項目の時系列的変化をしめす線を前記の回答線記入用グラフ欄４に直接記入する１１。被験者の記入終了後回収する１２。
【００２６】
次に、図２の８にあるような回収後の回答済み回答線記入用グラフ欄のデータ処理方法を、図３の数値データ作成手段１３の過程に従って説明する。まず、市販のスキャナーで画像データとしてコンピューター内に取り込む１２。次にそれを回答線数値化プログラムに転送する。その後回答線数値化プログラム１５では、あらかじめ色相登録手段９にて登録しある回答記入用ペン及び位置検出マークの色相を、色相抽出手段１６にてＨｕｅデータ値を基準に抽出し、位置検出マークと手書き回答線のみを表す画素のみを抽出する。と同時に、回答線記入用グラフ欄上に存在する前記印刷目盛線などその他の数値化の対象とならない記載事項をすべて消去する。
【００２７】
その後、時系列数値データ作成手段１７により手書き回答線を、位置検出マークを基準とした画素の位置情報により任意の個数（最大約１０００個）の数値にデータ化し、心理時系列数値データを収集し１７、保存する１８。
【実施例２】
【００２８】
図１および図２で示された実施形態は、被験者は回答線記入用グラフ欄に手書き回答線を一本のみ書き込むものであったが、図４のように、同時に２本以上の手書き回答線の筆記を求めても、各線ごとに別色相を有する回答線記入用ペン用意し、それぞれのＨｕｅデータ値を回答線数値化プログラムにあらかじめ登録しておけば、同時に複数の手書き回答線を処理することも可能である。
【００２９】
たとえば、図４の２０で示されるように手書き回答線を「自分」「配偶者」「子供」と３本用意しているが、「自分」には赤、「配偶者」には黄色、「子供」には緑、という風にそれぞれ色相を分けて色相登録手段９によって登録しておけば、色相抽出１６し、時系列数値データ化１７するこが出来る。
【実施例３】
【００３０】
前記図４の２１にあるように、回答線記入用ペンおよび位置検出マークに使用され登録されているHue値以外の色相を使用を有する筆記具にて、対象となる心理変数の変化の理由などを、時系列変化グラフ用紙に被験者に自由に記述してもらう（自由記述）ことも可能である。
【００３１】
たとえば、図４の自由記述の例で手書き回答線「自分」についてみれば、３０歳付近で人生の楽しさの上昇をもたらしている理由として「仕事で出世した」と書かれてあり、５５歳付近で人生の楽しさが下降している原因が「だんだん体力が衰える」ことによることがわかる例となっている。
【実施例４】
【００３２】
前記「実施例２」による第一の効果は、同時に複数の手書き回答線を処理するために、一層コンピューター内に取り込む際の時間と手間が大幅に軽減される点である。
【００３３】
第二の効果は、互いに関連性が推測される複数の心理変数を、同時に同一の回答線記入用グラフ欄へ、記入してもらうため、各変数間の関連性を被験者に明確に意識させた上でのデータを入手することが出来る点である。
【実施例５】
【００３４】
前記「実施例３」による効果は、互いに関連する数値データと記述データの両方を一挙に得ることにより、心理分析上の定量的分析と定性的分析とを融合することが出来る点にある。その上、色相抽出手段によれば、自由記述が手書き回答線と混在していても、なんらの支障もなく手書き回答線の抽出および数値データ化を行うことが出来る。
【図面の簡単な説明】
【００３５】
【図１】本発明の一実施例による心理的変数の時系列変化グラフ用紙の平面図である。
【図２】前記図１に被験者が手書き回答線を記入した例を示す回答済み回答線記入用グラフ欄をともなう時系列変化グラフ用紙の平面図である。
【図３】本心理時系列データ収集システムの各過程の関係を示した過程図である。
【図４】前記図１に被験者が手書き回答線を３本記入し、かつその変化の理由を自由記述した例を示す回答済み回答線記入用グラフ欄をともなう時系列変化グラフ用紙の平面図である。
【図５】従来の技術として、梯子評定法を説明するための架空の質問項目例である
【図６】前記梯子評定法を説明するために、梯子評定法により得られる架空の結果例を表示したグラフである。
【符号の説明】
【００３６】
１  質問項目欄
２  時間経過尺度欄
３  段階的評価尺度欄
４  回答線記入用グラフ欄
５  左下位置検出マーク
６  右上位置検出マーク
７  右下位置検出マーク
８  手書き回答線の例
９〜１９  心理時系列データ収集システム各過程
２０  回答線記入用グラフ欄に、同時に3本の手書き回答線を引いた場合の例。
２１  手書き回答線に現れた心理的変数の変化につき、時系列変化グラフ用紙上に、自由記述を行った場合の例。
【図１】
2008183279.tif 000003
【図２】
2008183279.tif 000004
【図３】
2008183279.tif 000005
【図４】
2008183279.tif 000006
【図５】
2008183279.tif 000007
【図６】
2008183279.tif 000008